(57)【要約】【課題】端末に関する設定データを共通の形式に変換し通信を行う。【解決手段】監視端末に搭載されたクライアントプログラム１ａからの指示を受けるサーバプログラム３を搭載されたシーケンサ装置を備え、シーケンサ装置が、前記クライアントプログラム１ａに関する設定データＤ３を記憶部から読み出す手段と、その読み出されたクライアントプログラム１ａに関する設定データを構造化文書ファイルＤ６へ変換する手段と、その構造化文書ファイルＤ６をクライアントプログラム１ａに対して送信する手段と、を用いて設定データを監視端末に対し送信し、前記クライアントプログラム１ａが、前記構造化文書ファイルＤ６を受信し、その構造化文書ファイルＤ６をクライアントプログラムに関する設定データとして解釈する。【選択図】図１
2008009575.tif 000002
【特許請求の範囲】
【請求項１】
監視端末に搭載されたクライアント部からの指示を受けるサーバ部を搭載されたシーケンサ装置を備えるＷｅｂ監視システムであって、
前記シーケンサ装置が、
前記クライアント部に関する設定データを記憶部から読み出す手段と、
その読み出されたクライアント部に関する設定データを構造化文書ファイルへ変換する手段と、
その構造化文書ファイルをクライアント部に対して送信する手段と、を有し、
前記クライアント部が、
前記構造化文書ファイルを受信し、その構造化文書ファイルをクライアント部に関する設定データとして解釈する手段を有する、
ことを特徴とするＷｅｂ監視システム。
【請求項２】
前記シーケンサ装置が、
前記クライアント部に関する設定データの内容中で、重複するデータのうちの１つのデータを代表させて、他の重複するデータを切り捨てる手段、
を有することを特徴とする請求項１記載のＷｅｂ監視システム。
【請求項３】
端末に搭載されたクライアント部とシーケンサ装置に搭載されたサーバ部間で構造化文書ファイルを使って通信するＷｅｂ監視方法であって、
前記サーバ部が、前記クライアント部に関する設定データを記憶部から読み出すステップと、
前記サーバ部が、その読み出されたクライアント部に関する設定データを構造化文書ファイルへ変換するステップと、
前記サーバ部が、その構造化文書ファイルをクライアント部に対して送信するステップと、を有し、
前記クライアント部が、
前記構造化文書ファイルを受信し、その構造化文書ファイルをクライアント部に関する設定データとして解釈するステップを有する、
ことを特徴とするＷｅｂ監視方法。
【請求項４】
前記サーバ部が、
前記クライアント部に関する設定データの内容中で、重複するデータのうちの１つのデータを代表させて、他の重複するデータを切り捨てるステップ、
を有することを特徴とする請求項３記載のＷｅｂ監視方法。
【発明の詳細な説明】
【技術分野】
【０００１】
本発明は、Ｗｅｂ監視技術における処理の高速化と省メモリ化に関するものである。
【背景技術】
【０００２】
現在、遠隔に設置された監視端末からシーケンサ装置を介してＷｅｂ（ウェブ）を監視するシステムが知られている。例えば、図７のようなシーケンサ装置を使ったＷｅｂ監視システムである。図７中の監視端末１からＶＰＮ（Ｖｉｒｔｕａｌ  Ｐｒｉｖａｔｅ  Ｎｅｔｗｏｒｋ）リモートアクセスルータ３１を経てネットワークを介し、さらに、ＶＰＮリモートアクセスルータ３２を経てシーケンサ装置２にアクセスする。なお、監視端末１はクライアント装置、シーケンサ装置２はサーバ装置と見做してよい。
【０００３】
シーケンサ装置２は、電源２ａによって電力の供給を受けて動作するＣＰＵ（Ｃｅｎｔｒａｌ  Ｐｒｏｃｅｓｓｉｎｇ  Ｕｎｉｔ）２ｂを搭載している。また、シーケンサ装置２は、デジタル入力インタフェース（略称は「ＤＩ」）２ｃ，デジタル出力インタフェース（略称は「ＤＯ」）２ｄ，アナログ入力インタフェース（略称は「ＡＩ」）２ｅを備えている。
【０００４】
さらに、Ｗｅｂモジュール３の動作の例を図８に基づいて詳細に説明する。なお、以下の説明で、図７中の符号と同じものの説明は省略する。
【０００５】
図７中のシーケンサ装置２には、一般的なＯＳ（Ｏｐｅｒａｔｉｎｇ  Ｓｙｓｔｅｍ；例えば、Ｗｉｎｏｄｗｓ（登録商標），Ｌｉｎｕｘ（登録商標））４が搭載されており、そのＯＳ４上で動作するＷｅｂモジュール３がインストールされているものとする。
【０００６】
上述のような構成のため、Ｗｅｂモジュール３は、Ｗｅｂサーバ通信機能３ａ，システム設定データ機能３ｂ，計測監視制御機能３ｃ，ＣＰＵ入出力機能３ｄなどを備える。
【０００７】
図８中では、監視端末１にＷｅｂブラウザ１ａがインストールされており、さらに、Ｗｅｂブラウザ１ａに広域ＧＵＩ（Ｇｒａｐｈｉｃａｌ  Ｕｓｅｒ  Ｉｎｔｅｒｆａｃｅ）クライアント１ａ１が組み込まれているものとする。
【０００８】
また、Ｗｅｂブラウザ１ａとＷｅｂモジュール３間の通信は、例えば、ソケット通信で行われ、経路Ｒ１及び経路Ｒ２が確保されているものとする。そして、Ｗｅｂブラウザ１ａはクライアントプログラム（或いは、クライアント部と称しても良い）、Ｗｅｂモジュールがサーバプログラム（或いは、サーブ部と称しても良い）と言える。
【０００９】
まず、Ｗｅｂモジュール３の動作の一例としては、Ｗｅｂモジュール３は、監視端末１上のＷｅｂブラウザ１ａに対し、経路Ｒ１を介してＷｅｂサーバ通信機能３ａ、経路Ｒ２を介してシステム設定データ機能３ｂの情報（例えば、Ｗｅｂモジュール３専用の設定データ）を送信する。このような動作は、Ｗｅｂブラウザ１ａの広域ＧＵＩクライアント１ａ１がＪａｖａ（登録商標）言語で作成されており、かつ、Ｗｅｂモジュール３がＣ言語またはＣ＋＋言語で作成されている場合に、必須の動作となる。なぜならば、言語の異なるプログラムどうしでは、データ共有を行えないからである。
【００１０】
また、Ｗｅｂモジュール３の動作の他例としては、Ｗｅｂモジュール３中のＣＰＵ入出力機能３ｄは、項目表システムデータＤ４をＷｅｂ専用の設定データＤ３を経由し、共有メモリデータＤ２に変換する。例えば、Ｗｅｂ専用の設定データＤ３を項目表システムデータＤ４のビュー（即ち、データベース技術におけるビュー）と見做して、Ｗｅｂ専用の設定データＤ３を経由して、共有メモリデータＤ２に変換する。
【００１１】
なお、項目表システムデータＤ４は、シーケンサ装置２が制御する装置に関するデータであって、１データ項目につき、項目名称，その項目名称に対応したシーケンサ装置２内部のアドレス，シーケンサ装置２が制御する装置の状態などの情報が設定されたものである。さらに、項目表システムデータＤ４は、シーケンサ装置２内部のアドレス毎に管理されているものとする。
【００１２】
例えば、図９における項目表システムデータＤ４の例にあるように、アドレスＡＤ１〜ＡＤ７には、同じ項目名称（即ち、「Ｎｏ．１−１  爆気装置」）が格納されているが、その項目名称データの実体は別々に管理されている。
【００１３】
なお、Ｗｅｂ関連の技術として、ＸＭＬ（ｅＸｔｅｎｓｉｂｌｅ  Ｍａｒｋｕｐ  Ｌａｎｇｕａｇｅ）技術が知られている（例えば、非特許文献１参照）また、ＸＭＬ形式ファイル（以下、単にＸＭＬファイルという）における型を特定の文字列データに変換して圧縮を行う技術（例えば、特許文献１参照）、ＸＭＬに関連する通信技術（ＳＯＡＰ（Ｓｉｍｐｌｅ  Ｏｂｊｅｃｔ  Ａｃｃｅｓｓ  Ｐｒｏｔｏｃｏｌ）通信；例えば、特許文献２参照）も知られている。
【特許文献１】特開２００４−１０２４３０号公報（段落［００３０］〜［００３２］等）。
【特許文献２】特開２００４−１０３００７号公報（段落［００７１］〜［００７２］等）。
【非特許文献１】ファビオ・アルシニェガス著，高橋秀和訳、「Ｃ＋＋によるＸＭＬ開発技法」、ピアソンエデュケーション、平成１４年９月、ｐｐ．１０９−１２６，１３９−１５９。
【発明の開示】
【発明が解決しようとする課題】
【００１４】
上述のＷｅｂ監視システムでは、監視端末上のＷｅｂブラウザを作成した言語は、サーバ側のＷｅｂモジュール内のプログラムを作成した言語と異なるため、一つの経路（即ち、図８中の経路Ｒ１）のみに伝送される情報に基づいて、Ｗｅｂ専用の設定データを共有することができない。そのため、Ｗｅｂブラウザは、二つ目の経路（例えば、図８中の経路Ｒ２）を使ってＷｅｂ専用の設定データを受け取らなければならない。このような２経路による通信を行う場合、Ｗｅｂ監視システムの通信負荷が増大してしまう。
【００１５】
また、上述の項目表システムデータの一部情報（例えば、アドレス）は異なり、かつ、他の情報（例えば、項目名称）が同じ場合でも、それぞれ別々のデータとして管理するため、情報の重複した部分だけ、無駄に共有メモリデータのサイズが肥大していた。さらに、このサイズが肥大したデータを図８中の経路Ｒ２を使って通信するため、通信負荷の増大を招いていた。
【００１６】
本発明は、前記課題に基づいてなされたものであって、Ｗｅｂ専用の設定データを共通の形式に変換し通信を行うＷｅｂ監視システム及びＷｅｂ監視方法を提供することにある。
【課題を解決するための手段】
【００１７】
本発明は、前記課題の解決を図るために、請求項１記載の発明は、監視端末に搭載されたクライアント部からの指示を受けるサーバ部を搭載されたシーケンサ装置を備えるＷｅｂ監視システムであって、前記シーケンサ装置が、前記クライアント部に関する設定データを記憶部から読み出す手段と、その読み出されたクライアント部に関する設定データを構造化文書ファイルへ変換する手段と、その構造化文書ファイルをクライアント部に対して送信する手段と、を有し、前記クライアント部が、前記構造化文書ファイルを受信し、その構造化文書ファイルをクライアント部に関する設定データとして解釈する手段を有する、ことを特徴とする。
【００１８】
請求項２記載の発明は、請求項１記載の発明において、前記シーケンサ装置が、前記クライアント部に関する設定データの内容中で、重複するデータのうちの１つのデータを代表させて、他の重複するデータを切り捨てる手段、を有することを特徴とする。
【００１９】
請求項３記載の発明は、端末に搭載されたクライアント部とシーケンサ装置に搭載されたサーバ部間で構造化文書ファイルを使って通信するＷｅｂ監視方法であって、前記サーバ部が、前記クライアント部に関する設定データを記憶部から読み出すステップと、前記サーバ部が、その読み出されたクライアント部に関する設定データを構造化文書ファイルへ変換するステップと、前記サーバ部が、その構造化文書ファイルをクライアント部に対して送信するステップと、を有し、前記クライアント部が、前記構造化文書ファイルを受信し、その構造化文書ファイルをクライアント部に関する設定データとして解釈するステップを有する、ことを特徴とする。
【００２０】
請求項４記載の発明は、請求項３記載の発明において、前記サーバ部が、前記クライアント部に関する設定データの内容中で、重複するデータのうちの１つのデータを代表させて、他の重複するデータを切り捨てるステップ、を有することを特徴とする。
【００２１】
前記の請求項１，３の発明によれば、クライアント部に関する設定データを構造化文書ファイル（例えば、ＸＭＬファイル）に変換できる。
【００２２】
前記の請求項２，４の発明によれば、構造化文書ファイルのサイズを小さくできる。
【発明の効果】
【００２３】
以上示したように請求項１，３の発明によれば、クライアント部に関する設定データを構造化文書ファイル（例えば、ＸＭＬファイル）に変換することによって、異なった言語で作成されたプログラム間でクライアント部に関する設定データを共有できる。
【００２４】
請求項２，４の発明によれば、シーケンサ装置におけるメモリ消費を減少できる。構造化文書ファイルへの変換処理時間を短縮できる。ネットワーク通信における負荷を軽減できる。
【００２５】
これらを以ってＷｅｂ監視システムの分野に貢献できる。
【発明を実施するための最良の形態】
【００２６】
以下、本発明の実施形態を図面等に基づいて詳細に説明する。
【００２７】
本実施形態は、シーケンサ装置に搭載されたＷｅｂモジュール内で、端末に搭載されたＷｅｂアプリケーションプログラムが利用するデータを構造化文書ファイル（例えば、ＸＭＬファイル）に変換する。さらに、その構造化文書ファイルに変換する前に、変換処理の高速化と変換後のデータサイズの縮小を実現したものである。
【００２８】
なお、第１及び第２実施形態において、構造化文書ファイルとして、ＸＭＬファイルを例にして説明する。また、出現するデータは、シーケンサ装置に備えられた記憶部（例えば、メモリ）に格納され、または、アクセスされるものとする。
【００２９】
［第１実施形態］
第１実施形態における装置構成は図７と同じに構成になるため、シーケンサ装置に搭載されるＷｅｂモジュールのソフトウェア機能構成を図１に基づいて説明する。なお、以下の説明で、図７中の符号と同じものの説明は省略する。
【００３０】
シーケンサ装置２には、図１中のＯＳ（例えば、組み込み用Ｌｉｎｕｘ（登録商標））４が搭載されており、そのＯＳ４上で動作するＷｅｂモジュール３がインストールされているものとする。さらに、Ｗｅｂモジュール３は、Ｗｅｂサーバ通信機能３ａ，システム設定データ機能３ｂ，計測監視制御機能３ｃ，ＣＰＵ入出力機能３ｄ，ＸＭＬファイル変換機能３ｅ，データ管理縮小機能３ｆなどを備える。
【００３１】
図１中では、監視端末１にＷｅｂブラウザ１ａがインストールされており、さらに、Ｗｅｂブラウザ１ａに広域ＧＵＩクライアント１ａ１が組み込まれているものとする。
【００３２】
また、Ｗｅｂブラウザ１ａとＷｅｂモジュール３間の通信は、ＳＯＡＰ通信で行われ、経路Ｒ１が確保されているものとする。
【００３３】
前記ＸＭＬファイル変換機能３ｅを図２に基づいて説明する。なお、２点鎖線で囲った処理Ａの部分（即ち、ステップＳ１９からＳ２２）が、ＸＭＬファイル変換機能の本体機能である。このＸＭＬファイル変換機能は、Ｗｅｂモジュール３の一部である。
【００３４】
前処理として、ステップＳ１１からＳ１８までの処理を行う。
【００３５】
まず、初期化処理を行う（Ｓ１１）。
【００３６】
次に、処理を終了する指示を受信したか否かをチェックする（Ｓ１２）。処理を終了する指示を受信していた場合、処理を終了する。処理を終了する指示を受信していない場合、ステップＳ１３へ進む。
【００３７】
ステップＳ１３では、ＸＭＬファイル変換処理開始指示を受信したか否かをチェックする。ＸＭＬファイル変換処理開始指示を受信した場合、ステップＳ１４へ進む。ＸＭＬファイル変換処理開始指示を受信していない場合、ステップＳ１２へ戻る。
【００３８】
ステップＳ１４からＳ１８によって、Ｗｅｂ専用の設定データＤ３が縮小される。なお、ステップＳ１４からＳ１８に関しては第２実施形態で説明する。
【００３９】
そのＷｅｂ専用の設定データＤ３が共有メモリデータＤ２へ保存される（コピーされる）（Ｓ１９）。
【００４０】
次に、Ｗｅｂモジュール３内で、共有メモリデータＤ２中のＷｅｂ専用の設定データＤ３をＸＭＬ形式データとして続み込む（Ｓ２０）。
【００４１】
この読み込んだＸＭＬ形式データをＸＭＬファイル作成に使用するＤＯＭ（Ｄｏｃｕｍｅｎｔ  Ｏｂｊｅｃｔ  Ｍｏｄｅｌ）ツリーに展開する（Ｓ２１）。このＤＯＭツリーとは、ＸＭＬデータを保管した構造体である。なお、共有メモリデータが、ＤＯＭツリーに展開されると、そのＤＯＭツリーのメモリサイズは共有メモリのデータサイズの最大１５倍に増大する。この増大をＷｅｂ監視で使用する機能を必要最小限にして、共有メモリに展開されるデータを小さくしたことによって、このＤＯＭツリー展開処理をメモリ容量に制限のあるシーケンサ装置で実現した。シーケンサ装置において、このようなＤＯＭツリー展開処理の実現は、技術的な優位性を有する。
【００４２】
このＤＯＭツリーの情報をＸＭＬファイルＤ６に書き込み、ＸＭＬファイルＤ６が作成される（Ｓ２２）。変換されたＸＭＬファイルの一例は、図３中のＸＭＬファイルＤ６である。
【００４３】
最終的に、経路Ｒ２’で、ＸＭＬファイルに変換されたシステム設定を、ＳＯＡＰ通信を介してＷｅｂブラウザ１ａに送信（即ち、ネットワークにおける経路Ｒ１で送信）し、そのＸＭＬファイルがＷｅｂブラウザ１ａに解釈されて設定される。
【００４４】
以上のように第１実施形態によれば、従来のＷｅｂブラウザのためのＷｅｂ専用の設定データを経路Ｒ２を使ってやり取りしていたが、このＷｅｂ専用の設定データをＸＭＬファイルに変換することによって、異なった言語（例えば、Ｃ言語、Ｃ＋＋言語、Ｊａｖａ（登録商標）言語）のプログラムは、Ｗｅｂ専用の設定データを共有できる。
【００４５】
そのため、ネットワークを経由してＷｅｂ専用の設定データを送信する場合は、経路Ｒ２は不要となり、ネットワーク上では経路Ｒ１のみで通信できるようになり、通信の負荷を減少できた。
【００４６】
［第２実施形態］
第２実施形態における装置構成は図７と同じになるため、シーケンサ装置に搭載されるＷｅｂモジュールのソフトウェア機能構成を図４に基づいて説明する。なお、以下の説明で、図７中の符号と同じものの説明は省略する。
【００４７】
シーケンサ装置２には、図４中のＯＳ（例えば、組み込み用Ｌｉｎｕｘ（登録商標））４が搭載されており、そのＯＳ４上で動作するＷｅｂモジュール３がインストールされているものとする。さらに、Ｗｅｂモジュール３は、Ｗｅｂサーバ通信機能３ａ，システム設定データ機能３ｂ，計測監視制御機能３ｃ，ＣＰＵ入出力機能３ｄ，ＸＭＬファイル変換機能３ｅ，データ管理縮小機能３ｆなどを備える。
【００４８】
図４中では、監視端末１にＷｅｂブラウザ１ａがインストールされており、さらに、Ｗｅｂブラウザ１ａに広域ＧＵＩクライアント１ａ１が組み込まれているものとする。
【００４９】
また、Ｗｅｂブラウザ１ａとＷｅｂモジュール３間の通信は、例えば、ＳＯＡＰ通信で行われ、経路Ｒ１が確保されているものとする。
【００５０】
前記データ管理縮小機能３ｆを図５に基づいて説明する。なお、２点鎖線で囲った処理Ｂの部分（即ち、ステップＳ１４からＳ１９）が、データ管理縮小機能の本体機能である。このデータ管理縮小機能は、Ｗｅｂモジュール３の一部である。
【００５１】
前処理として、ステップＳ１１からＳ１３までの処理を行う。なお、図５中のステップＳ１１からＳ１３、Ｓ２０からＳ２２は、図２中のものと同じであるため、説明を省略する。
【００５２】
まず、Ｗｅｂ専用の設定データＤ３に対応する項目表システムデータＤ４中のデータを読み込む。さらに、設定データの最初の項目名称を対象にしておく。また、以後、項目表システムデータＤ４のビューであるＷｅｂ専用の設定データＤ３に関する操作は、項目表システムデータＤ４に関する操作と見做される。（Ｓ１４）。
【００５３】
次に、Ｗｅｂ専用の設定データＤ３を共有メモリデータＤ２に保存する前に、Ｗｅｂ専用の設定データＤ３のデータに共通の内容（即ち、重複する内容；例えば、図６Ａ中のデータ名称Ｔ１や項目名称Ｔ２）があるか否かを確認する（Ｓ１５）。共通の内容がある場合は、ステップＳ１６へ進む。共通の内容がない場合は、ステップＳ１７へ進む。なお、重複する内容か否かを確認する（比較する）ために、Ｗｅｂ専用の設定データＤ３の一部を一時的に記憶部に保存し、その保存されたＷｅｂ専用の設定データＤ３の一部と比較することもある。
【００５４】
ステップＳ１６は、共通の内容（例えば、項目名称Ｔ２）を有するデータを１つのデータで代表させ、他の重複するデータを切り捨て（即ち、Ｗｅｂ専用の設定データＤ３を縮小し）、そのデータに異なる情報（例えば、アドレス）のみを追加する。例えば、図９中のＡＤ１〜ＡＤ７では、「Ｎｏ．１−１  爆気装置」が共通する内容であるため、これらを符号Ｐ１のようにひとまとめにし、さらに、「Ｎｏ．１−１  爆気装置」に対し、異なるアドレス（例えば、「１」，「２」，「３」，「４」，「５」，「６」，「７」）を結合する。続いて、ステップＳ１７へ進む。
【００５５】
ステップＳ１７は、設定データの終端を処理したか否かをチェックする。設定データの終端を処理した場合は、ステップＳ１９へ進む。設定データの終端を処理していない場合は、ステップＳ１８へ進む。
【００５６】
ステップＳ１８は、次の項目名称を対象にする。
【００５７】
ステップＳ１９は、縮小されたＷｅｂ専用の設定データＤ３（例えば、図６Ｂ中の符号Ｐ１及びＰ２部分）を共有メモリデータＤ２へ保存する（コピーする）。
【００５８】
以上のように、第２実施形態では、アドレスベースで管理する項目表システムデータ（即ち、図９で表される項目表システムデータＤ４）をデータ管理縮小機能によって項目名称ベースで管理する項目表システムデータ（例えば、図６Ｂで表される項目表システムデータＤ４’）に縮小したことにより、共有メモリデータのサイズが縮小できる。
【００５９】
共有メモリデータのサイズが縮小したため、ＸＭＬファイルに変換する際のシーケンサＷｅｂモジュールにおけるメモリ消費を減少できる。また、ＸＭＬファイルへの変換処理時間の短縮と、ネットワーク上における経路Ｒ１の負荷を軽減できた。
【００６０】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【図面の簡単な説明】
【００６１】
【図１】第１実施形態におけるソフトウェア機能構成図。
【図２】第１実施形態におけるフローチャート。
【図３】第１実施形態におけるＸＭＬファイルの一例を示す図。
【図４】第２実施形態におけるソフトウェア機能構成図。
【図５】第２実施形態におけるフローチャート。
【図６】第２実施形態におけるＸＭＬファイルの一例（Ａ）と縮小された項目表システムデータの一例（Ｂ）を示す図。
【図７】一般的なＷｅｂ監視システムの装置構成図。
【図８】一般的なＷｅｂ監視システムのソフトウェア機能構成図。
【図９】一般的なＷｅｂ監視システムにおける項目表システムデータを示す図。
【符号の説明】
【００６２】
１…監視端末
１ａ…Ｗｅｂブラウザ
１ａ１…広域ＧＵＩクライアント
２…シーケンサ装置
２ａ…電源
２ｂ…ＣＰＵ
２ｃ…デジタル入力インタフェース
２ｄ…デジタル出力インタフェース
２ｅ…アナログ入力インタフェース
３…Ｗｅｂモジュール
３ａ…Ｗｅｂサーバ通信機能
３ｂ…システム設定データ機能
３ｃ…計測監視制御機能
３ｄ…ＣＰＵ入出力機能
３ｅ…ＸＭＬファイル変換機能
３ｆ…データ管理縮小機能
４…ＯＳ
３１，３２…ＶＰＮリモートアクセスルータ
１００…ネットワーク
ＡＤ１〜ＡＤ７…シーケンサ装置内部のアドレス
Ｒ１，Ｒ２，Ｒ２’…経路
Ｄ１…通信データ
Ｄ２…共有メモリデータ
Ｄ３…Ｗｅｂ専用の設定データ
Ｄ４，Ｄ４’…項目表システムデータ
Ｄ５…表示計測項目
Ｄ６…ＸＭＬファイル
Ｐ１，Ｐ２…縮小されたＷｅｂ専用の設定データ
Ｔ１…データ名称
Ｔ２…項目名称
【図１】
2008009575.tif 000003
【図２】
2008009575.tif 000004
【図３】
2008009575.tif 000005
【図４】
2008009575.tif 000006
【図５】
2008009575.tif 000007
【図６】
2008009575.tif 000008
【図７】
2008009575.tif 000009
【図８】
2008009575.tif 000010
【図９】
2008009575.tif 000011